(57)【特許請求の範囲】
【請求項１】
シャフトの一端側に取り付けられるヘッドと、シャフトの他端側外周にグリップ部材を配置して形成されるグリップ本体と、当該グリップ本体の端部に連結可能な、長さの異なる複数のエンド部材とを含み、当該エンド部材の何れかを前記端部に連結することでシャフトの全長を可変とするゴルフクラブにおいて、
前記グリップ本体は、前記端部に開口部を有する形状に設けられるとともに、シャフトの内部径方向に連結用軸を備えて構成され、
前記エンド部材は、前記開口部に挿入される筒状部材と、当該筒状部材に設けられるとともに前記連結用軸を受容するスリットと、前記筒状部材に嵌合する延長グリップ部材とを備え、
前記筒状部材を前記開口部に挿入した状態で前記エンド部材を周方向に回転させることで、当該エンド部材が前記グリップ本体の端部に連結されてグリップの長さが調整され、
前記エンド部材をグリップ本体に連結したときに、前記グリップ部材と延長グリップ部材の合わせ面に押圧力が相互に付与されるように構成し、当該押圧力の反力によって前記連結用軸とスリットとを強固に係合してなり、
前記スリットは、前記筒状部材の軸線方向に前記連結用軸を案内する軸方向スリットと、当該軸方向スリットに対して周方向に伸び先端が前記シャフトの一端側に傾いた方向に連結用軸を案内する傾斜方向スリットとにより構成され、当該傾斜方向スリットの端部に連結用軸が位置したときにも、前記押圧力が付与されることを特徴とするゴルフクラブ。
【請求項２】
シャフトの一端側に取り付けられるヘッドと、シャフトの他端側外周にグリップ部材を配置して形成されるグリップ本体と、当該グリップ本体の端部に連結可能な、長さの異なる複数のエンド部材とを含み、当該エンド部材の何れかを前記端部に連結することでシャフトの全長を可変とするゴルフクラブにおいて、
前記グリップ本体は、前記端部に開口部を有する形状に設けられるとともに、シャフトの内部径方向に連結用軸を備えて構成され、
前記エンド部材は、前記開口部に挿入される筒状部材と、当該筒状部材に設けられるとともに前記連結用軸を受容するスリットと、前記筒状部材に嵌合する延長グリップ部材とを備え、
前記筒状部材を前記開口部に挿入した状態で前記エンド部材を周方向に回転させることで、当該エンド部材が前記グリップ本体の端部に連結されてグリップの長さが調整され、
前記エンド部材をグリップ本体に連結したときに、前記グリップ部材と延長グリップ部材とが合わされる面である合わせ面について、
前記グリップ部材の合わせ面は、前記シャフトの他端よりも前記エンド部材側にはみ出すように設けられ、
前記延長グリップ部材の合わせ面は、前記延長グリップ部材内に位置する大径部の下端に位置する段部よりもヘッド側にはみ出すように設けられ、
前記グリップ部材と前記延長グリップ部材とは、弾性変形可能な材料によって形成されていることを特徴とするゴルフクラブ。
【請求項３】
前記スリットは、前記筒状部材の軸線方向に前記連結用軸を案内する軸方向スリットと、当該軸方向スリットに対して周方向に伸び先端が前記シャフトの一端側に傾いた方向に連結用軸を案内する傾斜方向スリットとにより構成され、当該傾斜方向スリットの端部に連結用軸が位置したときにも、前記グリップ部材と延長グリップ部材の合わせ面に押圧力が付与されることを特徴とする請求項２記載のゴルフクラブ。
【発明の詳細な説明】
【技術分野】
【０００１】
本発明はゴルフクラブに係り、更に詳しくは、グリップの長さを調整することでシャフトの全長を可変とすることのできるゴルフクラブに関する。
【背景技術】
【０００２】
ゴルフクラブ用シャフトは、メーカー毎に規格化された長さに設定されている。例えば、アイアンゴルフクラブ用のシャフトの場合、番手が小さくなるに従って０．５インチずつ長くなるように設定することが行われ、これにより、飛距離、コントロールの容易性等、番手毎の特性を良好に発揮できるように設計されている。
【０００３】
しかしながら、番手に応じて長さを一定に変化させたとしても、その利用者であるゴルファーの身長、或いは技量が様々であることから、番手ごとに規則性をもってシャフトの長さを変えてもすべてのゴルファーにとって使い勝手が良いものとは限らない。
【０００４】
例えば、背丈の高い人或いは飛距離を稼ぎたい人にとっては、市販されたシャフト長さよりも更に長いものを希望する場合があり、コントロールの容易性を追求する人にとっては、規格化された長さに対して相対的に短いシャフトを希望する場合もある。
【０００５】
特許文献１には、シャフト全長を可変とするパターが提案されている。このパターは、シャフトの後端側を構成するグリップ部と、当該グリップ部の後端部に連結可能な連結用のグリップとを備えて構成されている。このパターは、グリップの先端に刃先部が設けられており、当該刃先部でグリップ部の端面を掘削するように連結することでシャフトの全長が延長可能となっている。
【先行技術文献】
【特許文献】
【０００６】
【特許文献１】特開平８−７１１８４号公報
【発明の開示】
【発明が解決しようとする課題】
【０００７】
しかしながら、特許文献１記載のものはパターに特化したものに過ぎず、アイアンゴルフクラブやウッドタイプのゴルフクラブへの適用特性を備えたものとはなっていない。つまり、特許文献１記載のものは、刃先部をグリップ部の後端面に差し込むだけの連結であるから、通常のゴルフクラブのように、スイング時に大きな遠心力を生ずるクラブの場合、当該遠心力によって連結が解除され、いわゆる「すっぽ抜け」を生じてしまう、という不都合がある。
特許文献１に記載された構成は、振り幅が相対的に小さく遠心力を殆ど考慮しなくてよい場合に適用できるだけで、グリップの長さを調整することによってシャフトの全長を調整するパター以外のゴルフクラブには適用不可能となっている。
【０００８】
［発明の目的］
本発明の目的は、グリップ本体に対して長さの異なる複数のエンド部材を任意に選択して着脱自在に設け、選択されたエンド部材の長さ分に応じてグリップの長さを調整することでシャフトの全長を調整することができるゴルフクラブを提供することにある。
また、本発明の他の目的は、スイング時の遠心力によってグリップ本体とエンド部材との連結が不用意に解除されることがなく、適用範囲に制約のないゴルフクラブを提供することにある。
【課題を解決するための手段】
【０００９】
前記目的を達成するため、本発明は、特許請求の範囲記載の構成を採用したものであり、具体的には、シャフトの一端側に取り付けられるヘッドと、シャフトの他端側外周にグリップ部材を配置して形成されるグリップ本体と、当該グリップ本体の端部に連結可能な、長さの異なる複数のエンド部材とを含み、当該エンド部材の何れかを前記端部に連結することでシャフトの全長を可変とするゴルフクラブにおいて、
前記グリップ本体は、前記端部に開口部を有する形状に設けられるとともに、シャフトの内部径方向に連結用軸を備えて構成され、
前記エンド部材は、前記開口部に挿入される筒状部材と、当該筒状部材に設けられるとともに前記連結用軸を受容するスリットと、前記筒状部材に嵌合する延長グリップ部材とを備え、
前記筒状部材を前記開口部に挿入した状態で前記エンド部材を周方向に回転させることで、当該エンド部材が前記グリップ本体の端部に連結されてグリップの長さが調整され、
前記エンド部材をグリップ本体に連結したときに、前記グリップ部材と延長グリップ部材の合わせ面に押圧力が相互に付与されるように構成し、当該押圧力の反力によって前記連結用軸とスリットとを強固に係合してなり、
前記スリットは、前記筒状部材の軸線方向に前記連結用軸を案内する軸方向スリットと、当該軸方向スリットに対して周方向に伸び先端が前記シャフトの一端側に傾いた方向に連結用軸を案内する傾斜方向スリットとにより構成され、当該傾斜方向スリットの端部に連結用軸が位置したときにも、前記押圧力が付与される、という構成を採っている。
【００１１】
また、本発明は、シャフトの一端側に取り付けられるヘッドと、シャフトの他端側外周にグリップ部材を配置して形成されるグリップ本体と、当該グリップ本体の端部に連結可能な、長さの異なる複数のエンド部材とを含み、当該エンド部材の何れかを前記端部に連結することでシャフトの全長を可変とするゴルフクラブにおいて、
前記グリップ本体は、前記端部に開口部を有する形状に設けられるとともに、シャフトの内部径方向に連結用軸を備えて構成され、
前記エンド部材は、前記開口部に挿入される筒状部材と、当該筒状部材に設けられるとともに前記連結用軸を受容するスリットと、前記筒状部材に嵌合する延長グリップ部材とを備え、
前記筒状部材を前記開口部に挿入した状態で前記エンド部材を周方向に回転させることで、当該エンド部材が前記グリップ本体の端部に連結されてグリップの長さが調整され、
前記エンド部材をグリップ本体に連結したときに、前記グリップ部材と延長グリップ部材とが合わされる面である合わせ面について、
前記グリップ部材の合わせ面は、前記シャフトの他端よりも前記エンド部材側にはみ出すように設けられ、
前記延長グリップ部材の合わせ面は、前記延長グリップ部材内に位置する大径部の下端に位置する段部よりもヘッド側にはみ出すように設けられ、
前記グリップ部材と前記延長グリップ部材とは、弾性変形可能な材料によって形成される、という構成を採っている。
ここで、前記スリットは、前記筒状部材の軸線方向に前記連結用軸を案内する軸方向スリットと、当該軸方向スリットに対して周方向に伸び先端が前記シャフトの一端側に傾いた方向に連結用軸を案内する傾斜方向スリットとにより構成され、当該傾斜方向スリットの端部に連結用軸が位置したときにも、前記グリップ部材と延長グリップ部材の合わせ面に押圧力が付与される、という構成を採っている。
【発明の効果】
【００１２】
本発明によれば、グリップ本体の後端部に形成された開口部に筒状部材を挿入してエンド部材を相対的に回転させるだけで、用いたエンド部材の長さに応じてグリップの長さを調整することができ、これによってシャフトの全長を可変とすることができる。
従って、ゴルフクラブの使用者のニーズに応じてグリップの長さを変え、それぞれの使い易さを追求することが可能となる。
また、前記連結状態において、グリップ部材と延長グリップ部材の合わせ面に押圧力がそれぞれ付与される構成としているので、各合わせ面は、押圧力を受けない場合の初期面位置に戻ろうとする反発力を生ずることとなる。この反発力は連結用軸とスリットとの係合力が強めるように作用する結果、グリップを延長する構成であっても、エンド部材が不用意に脱落してしまうようなおそれはない。
【図面の簡単な説明】
【００１３】
【図１】実施形態に係るゴルフクラブの概略正面図。
【図２】（Ａ）はグリップ本体にエンド部材を連結して両者の合わせ面に押圧力が付与された状態を示す断面図、（Ｂ）は前記押圧力が付与される前のグリップ本体とエンド部材との相対位置を示す断面図。
【図３】（Ａ）はグリップ本体とエンド部材との分解断面図、（Ｂ）は（Ａ）のグリップ本体とエンド部材を周方向に９０度回転させた状態を示す分解断面図。
【図４】（Ａ）はエンド部材の底面図、（Ｂ）はグリップ本体側の平面図、（Ｃ）はエンド部材を先端側から見た概略斜視図。
【図５】長さの異なるエンド部材をグリップ本体に適用する場合の分解断面図。
【発明を実施するための形態】
【００１４】
以下、本発明がアイアンゴルフクラブに適用された実施形態について、図面を参照しながら説明する。なお、本明細書における方向若しくは位置を示す用語に関し、特に明示しない限り、ゴルフクラブのヘッド側を「前」若しくは「先」とし、グリップ側を「後」とする。
【００１５】
図１において、ゴルフクラブ１０は、シャフト１１と、当該シャフト１１の一端側（先端側）に取り付けられたヘッド１２と、シャフト１１の他端側（後端側）に設けられたグリップ１３とを備えて構成されている。グリップ１３は、図２に示されるように、滑り防止用のゴム、樹脂等からなる筒状のグリップ部材１４と、当該グリップ部材１４が嵌合する領域となるシャフト１１の後端側部分１１Ａとを含むグリップ本体１５と、当該グリップ本体１５の後端側（図２中上端側）に連結される、長さの異なる複数のエンド部材１６、１７（図５参照）とからなる。グリップ１３は、エンド部材１６の何れかを任意に選択してグリップ本体１５の後端側に連結することで長さを変化させることができ、これにより、シャフト１１の全長が調整可能となっている。
【００１６】
前記グリップ本体１５は、図３に示されるように、前記端部に形成された開口部２０と、当該開口部２０近傍におけるシャフト１１の内部径方向に配置された連結用軸２１とを備えて構成されている。
また、エンド部材１６は、図４（Ｃ）にも示されるように、開口部２０に挿入される筒状部材２４と、当該筒状部材２４に設けられたスリット２６と、筒状部材２４の後半部領域に嵌合する延長グリップ部材２７と備えて構成されている。ここで、延長グリップ部材２７は、グリップ部材１４と同一の材料によって構成されて滑り防止を行えるようになっている。
【００１７】
前記グリップ本体１５の合わせ面を構成する後端面１５Ａは、シャフト１１の後端縁よりも後方にはみ出すように設けられている。また、筒状部材２４は、図３（Ａ）に示されるように、延長グリップ部材２７内に位置する大径部２４Ａと、この大径部２４Ａの下端に段部２４Ｂを介して連なるとともに当該大径部２４Ａの外径よりも小さく設けられて前記シャフト１１内に挿入される小径部２４Ｃとからなる。延長グリップ部材２７の合わせ面を構成する前端面２７Ａは、前記段部２４Ｂよりも前方にはみ出すように設けられている。
【００１８】
前記スリット２６は、筒状部材２４の軸線方向に連結用軸２１を案内する軸方向スリット２６Ａと、当該軸方向スリット２６Ａに対して周方向に傾いた方向に連結用軸２１を案内する傾斜方向スリット２６Ｂとにより構成され、これにより、傾斜方向スリット２６Ｂの端部に連結用軸２１が位置したときにも、グリップ本体１５の後端面１５Ａと延長グリップ部材２７の前端面２７Ａとが互いに押圧力を付与するようになっている。
なお、スリット２６は、筒状部材２４において、１８０度対称位置にそれぞれ設けられ、これにより、連結用軸２１の両端部と各スリット２６とがそれぞれ係合するようになっている。
【００１９】
本実施形態に係るゴルフクラブ１０は、例えば、図２に示されるエンド部材１６をグリップ本体１５に連結した状態でショップの店頭に陳列される。その際、付属品として、例えば、図５に示されるエンド部材１７が陳列される。この付属品としてのエンド部材は、長さが異なるより多くのものをオプションとして用意することもでき、使用者のニーズに応じてエンド部材を付け替えることでシャフトを所望の長さに設定することができる。
【００２０】
従って、このような実施形態によれば、用いるエンド部材の長さによってグリップの長さを変更し、シャフトの全長を長くしたり、短くしたりできるので、使用者毎に個性的な長さ設定が可能となり、結果として、使いやすいゴルフクラブを提供することが可能になる。
【００２１】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、当業者が様々な変更を加えることができるものである。
【００２２】
例えば、前記実施形態では一個の連結軸２１をシャフト内に設けた場合を示したが、平面視でクロスする２個の連結軸を設け、これに対応して筒状部材２４の周方向９０度間隔を隔てた位置にスリットを設けるようにしてもよい。要するに、本発明は、エンド部材１６をグリップ本体１５に対して回転させたときに、グリップ本体１５とエンド部材１６，１７とがそれらの突き合わせ面で互いに押圧力を発揮し、その反力で、強い連結状態を維持することができれば足りる。
【符号の説明】
【００２３】
１０…ゴルフクラブ、１１…シャフト、１４…グリップ部材、１５…グリップ本体、１５Ａ…後端面（合わせ面）、１６、１７…エンド部材、２０…開口部、２１…連結用軸、２４…筒状部材、２６…スリット、２６Ａ…軸方向スリット、２６Ｂ…傾斜方向スリット、２７…延長グリップ部材、２７Ａ…前端面（合わせ面）
【図１】
0005830942.tif 000002
【図２】
0005830942.tif 000003
【図３】
0005830942.tif 000004
【図４】
0005830942.tif 000005
【図５】
0005830942.tif 000006